(57)【要約】【課題】  電池の残量が少なくなっても携帯電話機能の動作時間を長くできる携帯電話機およびその動作制御方法を提供する。【解決手段】  ＣＰＵ５１は、電池１３の電圧が、メモリ部６に格納されているしきい値（動作制御用しきい値）未満の場合に、テレビ受像部２０の動作を制限し、かつ、携帯電話無線通信部２１の動作を許容する。【選択図】      図１
2005117304.tif 000002
【特許請求の範囲】
【請求項１】
テレビ受像部および携帯電話無線通信部とを含む携帯電話機であって、
前記携帯電話機の現況を検出する現況検出部と、
前記現況検出部により検出された現況に応じて、前記テレビ受像部の動作を制限し、かつ前記携帯電話の無線通信部の動作を許容する動作制御部とを含むことを特徴とする携帯電話機。
【請求項２】
請求項１に記載の携帯電話機において、
前記現況検出部は、前記携帯電話機の電源電圧の現況を検出し、
前記動作制御部は、前記現況検出部が前記携帯電話機の電源電圧が予め設定された所定値未満である状況を検出した際に、前記テレビ受像部の動作を制限し、かつ前記携帯電話の無線通信部の動作を許容することを特徴とする携帯電話機。
【請求項３】
請求項２に記載の携帯電話機において、
前記予め設定された所定値は、前記携帯電話無線通信部が所定時間以上動作するのに必要となる電源の電圧値であることを特徴とする携帯電話機。
【請求項４】
請求項１に記載の携帯電話機において、
前記現況検出部は、前記携帯電話機の移動速度の現況を検出し、
前記動作制御部は、前記現況検出部が前記携帯電話機の移動速度が予め設定された所定値以上である状況を検出した際に、前記テレビ受像部の動作を制限し、かつ前記携帯電話の無線通信部の動作を許容することを特徴とする携帯電話機。
【請求項５】
請求項１ないし４のいずれか１項に記載の携帯電話機において、
前記テレビ受像部は、テレビ画像を表示する表示部およびテレビ音声を出力する音声出力部とを含み、
前記動作制御部は、前記現況検出部により検出された現況に応じて、前記表示部の動作を制限し、かつ前記音声出力部の動作を許容することを特徴とする携帯電話機。
【請求項６】
請求項５に記載の携帯電話機において、
前記動作制御部は、前記現況検出部により検出された現況に応じて、前記表示部の動作を制限しかつ前記音声出力部および前記携帯電話無線通信部との動作を許容する動作と、前記表示部および前記音声出力部との動作を制限しかつ前記携帯電話無線通信部の動作を許容する動作とのいずれかを実行することを特徴とする携帯電話機。
【請求項７】
テレビ受像部および携帯電話無線通信部とを含む携帯電話機が行う動作制御方法であって、
前記携帯電話機の現況を検出する現況検出ステップと、
前記現況検出ステップで検出された現況に応じて、前記テレビ受像部の動作を制限し、かつ前記携帯電話無線通信部の動作を許容する動作制御ステップとを含むことを特徴とする動作制御方法。
【請求項８】
請求項７に記載の動作制御方法において、
前記現況検出ステップは、前記携帯電話機の電源電圧の現況を検出し、
前記動作制御ステップは、前記現況検出ステップで前記携帯電話機の電源電圧が予め設定された所定値未満である状況を検出した際に、前記テレビ受像部の動作を制限し、かつ前記携帯電話の無線通信部の動作を許容することを特徴とする動作制御方法。
【請求項９】
請求項８に記載の動作制御方法において、
前記予め設定された所定値は、前記携帯電話無線通信部が所定時間以上動作するのに必要となる電源の電圧値であることを特徴とする動作制御方法。
【請求項１０】
請求項７に記載の動作制御方法において、
前記現況検出ステップは、前記携帯電話機の移動速度の現況を検出し、
前記動作制御ステップは、前記現況検出ステップで前記携帯電話機の移動速度が予め設定された所定値以上である状況を検出した際に、前記テレビ受像部の動作を制限し、かつ前記携帯電話の無線通信部の動作を許容することを特徴とする動作制御方法。
【請求項１１】
請求項７ないし１０のいずれか１項に記載の動作制御方法において、
前記テレビ受像部は、テレビ画像を表示する表示部およびテレビ音声を出力する音声出力部とを含み、
前記動作制御ステップは、前記現況検出ステップで検出された現況に応じて、前記表示部の動作を制限し、かつ前記音声出力部の動作を許容することを特徴とする動作制御方法。
【請求項１２】
請求項１１に記載の動作制御方法において、
前記動作制御ステップは、前記現況検出ステップにより検出された現況に応じて、前記表示部の動作を制限しかつ前記音声出力部および前記携帯電話無線通信部との動作を許容する動作と、前記表示部および前記音声出力部との動作を制限しかつ前記携帯電話無線通信部の動作を許容する動作とのいずれかを実行することを特徴とする動作制御方法。
【発明の詳細な説明】
【技術分野】
【０００１】
本発明は、携帯電話機およびその動作制御方法に関し、特には、テレビ受像部および携帯電話無線通信部とを含む携帯電話機およびその動作制御方法に関する。
【背景技術】
【０００２】
近年、携帯電話機にさまざまな機能を追加することが提案されている。例えば、特許文献１（特開平８−１６２９０９号公報）には、テレビまたはラジオ等の放送を受信する機能を有する携帯電話機が記載されている。
【０００３】
特許文献１に記載の携帯電話機のように携帯電話機でテレビ放送を受信する場合、テレビ受像部が動作している際の消費電力の大きさが問題になる。
【０００４】
特許文献２（特開２００２−３５４３７５号公報）には、テレビ受像部を有する機器の低消費電力化に関する技術が記載されている。具体的には、テレビ受信機能とラジオ受信機能とを有するオーディオ・ビジュアル機器において、電源投入時の電池残量に基づいてテレビ受信機能とラジオ受信機能とを段階的に制限する技術が特許文献２に記載されている。
【特許文献１】特開平８−１６２９０９号公報
【特許文献２】特開２００２−３５４３７５号公報
【発明の開示】
【発明が解決しようとする課題】
【０００５】
特許文献１に記載の携帯電話機のように携帯電話機でテレビ放送を受信する場合、テレビ受像部が動作している際の消費電力の大きさが問題になる。よって、テレビ受信機能を有する携帯電話機においては、テレビ受信機能だけで電池容量を消費しきってしまい、携帯電話機の基本機能である電話機能が使用できなくなってしまうという問題が想定される。
【０００６】
また、特許文献２に記載の省電力化技術は、携帯電話機に関するものではないので、テレビ受信機能だけで電池容量を消費しきってしまい、携帯電話機の基本機能である電話機能が使用できなくなってしまうという問題を解決できるものではない。
【０００７】
本発明の目的は、電池の残量が少なくなっても携帯電話機能の動作時間を長くできる携帯電話機およびその動作制御方法を提供することである。
【課題を解決するための手段】
【０００８】
上記の目的を達成するために、本発明の携帯電話機は、テレビ受像部および携帯電話無線通信部とを含む携帯電話機であって、前記携帯電話機の現況を検出する現況検出部と、前記現況検出部により検出された現況に応じて、前記テレビ受像部の動作を制限し、かつ前記携帯電話の無線通信部の動作を許容する動作制御部とを含むことを特徴とする。
【０００９】
また、本発明の動作制御方法は、テレビ受像部および携帯電話無線通信部とを含む携帯電話機が行う動作制御方法であって、前記携帯電話機の現況を検出する現況検出ステップと、前記現況検出ステップで検出された現況に応じて、前記テレビ受像部の動作を制限し、かつ前記携帯電話無線通信部の動作を許容する動作制御ステップとを含むことを特徴とする。
【００１０】
本発明の携帯電話機および本発明の動作制御方法は、携帯電話機の現況に応じて、テレビ受像部の動作を制限し、かつ携帯電話無線通信部の動作を許容するので、テレビ受像部の動作によって消費される電力を抑制することが可能となり、携帯電話無線通信部の動作時間を長くすることができる。
【００１１】
また、前記動作制御部または前記動作制御ステップが、前記現況検出部または前記現況検出ステップで前記携帯電話機の電源電圧が予め設定された所定値未満である状況を検出した際に、前記テレビ受像部の動作を制限し、かつ前記携帯電話の無線通信部の動作を許容することが望ましい。この場合、動作制御部または動作制御ステップが、携帯電話機の電池残量が予め設定された所定値を下回った際にテレビ受像部の動作を制限し、かつ携帯電話無線通信部の動作を許容するので、電池残量が少なくなった際にテレビ受像部の動作によって消費される電力を抑制することが可能となり、電池の残量が少なくなっても、携帯電話機としての基本機能となる携帯電話無線通信部の動作時間を長くすることが可能となる。
【００１２】
また、前記予め設定された所定値は、前記携帯電話無線通信部が所定時間以上動作するのに必要となる電圧値であることが望ましい。この場合、電池の残量が少なくなっても、携帯電話機としての基本機能となる携帯電話無線通信部の動作時間を所定時間以上にすることができる。
【００１３】
また、前記現況検出部または前記現況検出ステップは、前記携帯電話機の移動速度の現況を検出し、前記動作制御部または前記動作制御ステップは、前記現況検出部または前記現況検出ステップで前記携帯電話機の移動速度が予め設定された所定値以上である状況を検出した際に、前記テレビ受像部の動作を制限し、かつ前記携帯電話の無線通信部の動作を許容することが望ましい。この場合、携帯電話機の移動速度が速くなってフェージングによりテレビ受像部の動作特性が劣化した際に、劣化したテレビ画像を表示するという無駄な動作を低減でき、この無駄な動作を実行するのに要する電力の消費を低減することが可能となる。
【００１４】
また、前記テレビ受像部は、テレビ画像を表示する表示部およびテレビ音声を出力する音声出力部とを含み、前記動作制御部または前記動作制御ステップが、前記現況検出部または前記現況検出ステップで検出された現況に応じて、前記表示部の動作を制限し、かつ前記音声出力部の動作を許容するようにしてもよい。この場合、表示部の動作を制限することによって低消費電力化が図れ、音声出力部の動作を許容することによってテレビ放送の内容の一部を確認することが可能となる。
【００１５】
また、前記動作制御部または前記動作制御ステップは、前記現況検出部または前記現況検出ステップにより検出された現況に応じて、前記表示部の動作を制限しかつ前記音声出力部および前記携帯電話無線通信部との動作を許容する動作と、前記表示部および前記音声出力部との動作を制限しかつ前記携帯電話無線通信部の動作を許容する動作とのいずれかを実行することが望ましい。この場合、テレビ受像部の動作を段階的に制限することができる。
【発明の効果】
【００１６】
本発明によれば、テレビ受像部の動作を自動的に制限することによって、テレビ受像部の動作によって携帯電話機の電池の容量の全てが消費された状態となることを防止することが可能となり、携帯電話無線通信部の動作時間を長くすることが可能となる。
【００１７】
また、テレビ受像部の動作の一部を自動的に停止することにより、テレビ受像部を動作させるのに使用される消費電流を低減することが可能となり、テレビ受像部の動作時間を長くすることが可能となる。
【発明を実施するための最良の形態】
【００１８】
以下、本発明の一実施例を図面を参照して説明する。
【００１９】
図１は、本発明の一実施例の携帯電話機を示したブロック図である。
【００２０】
図１において、携帯電話機は、アンテナ１、制御部５、メモリ部６、キー操作部７、マイク１２、テレビ受像部２０および携帯電話無線通信部２１とを含む。
【００２１】
制御部５は、制御部５の動作を制御するＣＰＵ５１とＡ／Ｄコンバータ５２とを含む。テレビ受像部２０は、ＴＶ（テレビ）チューナ部８と、音声出力部としてのスピーカ９と、ＬＣＤ１０およびＬＣＤバックライト１１とを含む。携帯電話無線通信部２１は、無線部２、復調部３および変調部４とを含む。図１に示した携帯電話機は、電池１３を電源として動作する。
【００２２】
アンテナ１は、基地局（不図示）から送信された携帯電話信号を受信する。無線部２は、アンテナ１が受信した携帯電話信号を増幅する。復調部３は、無線部２が増幅した携帯電話信号を復調する。コンピュータである制御部５は、復調部３が復調した携帯電話信号をデコードする。
【００２３】
制御部５は、デコードした情報が音声の情報である場合、その音声の情報が示す音声をスピーカ９から出力させる。また、制御部５は、デコードした情報が文字等の画像の情報である場合、その画像の情報が示す画像を表示部としてのＬＣＤ１０に表示させる。
【００２４】
また、制御部５は、マイク１２から入力された音に応じた送信信号をエンコードする。また、制御部５は、ユーザがキー操作部７を操作することによって入力された情報に応じた送信信号をエンコードする。
【００２５】
変調部４は、制御部５によってエンコードされた送信信号を変調する。無線部２は、変調部４によって変調された送信信号を増幅し、増幅した送信信号をアンテナ１から送信する。
【００２６】
また、無線部２は受信した信号の電界強度に応じて変化する電圧出力であるＲＳＳＩ（Received Signal Strength Indicator）信号を出力し、制御部５は、内蔵するＡ／Ｄコンバータ５２でそのＲＳＳＩ信号の電圧をデジタルデータに変換する。制御部５は、ＲＳＳＩ信号を用いて携帯電話機の移動速度を検出する。
【００２７】
制御部５は、内蔵するＡ／Ｄコンバータ５２を用いて電池１３の電圧を検出する。本実施例では、制御部５、具体的にはＣＰＵ５１は、Ａ／Ｄコンバータ５２による電池１３の電圧検出を所定時間ごとに行う。
【００２８】
コンピュータによって読み取り可能な記録媒体であるメモリ部６は、携帯電話機の動作プログラムと、電池電圧検出用しきい値（以下「しきい値」と称する。）を含む諸設定データを記憶している。
【００２９】
本実施例では、メモリ部６に記憶されているしきい値は複数あり、その中の１つのしきい値（以下「動作制御用しきい値」と称する。）は、携帯電話無線通信による通話が所定時間以上行えるだけの電池残量に対応する電圧値としている。さらに言えば、動作制御用しきい値は、ある程度の通話時間分の電池残量を考慮して設定される。本実施例では、電池１３の電圧が、この動作制御用しきい値未満である状況を、テレビ受像部２０の動作を制限する制限状況とする。
【００３０】
メモリ部６に記憶されている動作プログラムは、制御部５、具体的にはＣＰＵ５１によって読み取られ、制御部５（ＣＰＵ５１）によって実行される。
【００３１】
メモリ部６に記憶されている動作プログラムの一例としては、Ａ／Ｄコンバータ５２が検出した電池１３の電圧が、メモリ部６に格納されているしきい値（動作制御用しきい値）未満の場合に、テレビ受像部２０の動作を制限し、かつ、携帯電話無線通信部２１の動作を許容する処理をＣＰＵ５１に実行させるプログラムがある。
【００３２】
なお、メモリ部６に記憶されている動作プログラムとして、制御部５がＲＳＳＩ信号を用いて検出した携帯電話機の移動速度が、メモリ部６に予め設定された所定値以上の場合、テレビ受像部２０の動作を制限し、かつ、携帯電話無線通信部２１の動作を許容する処理をＣＰＵ５１に実行させるプログラムを用いてもよい。この場合、携帯電話機の移動速度が所定値以上である状況が、テレビ受像部２０の動作を制限する制限状況となる。
【００３３】
キー操作部７は、ユーザインタフェイスの入力部である。
【００３４】
テレビチューナ部８は、アンテナ１で受信したテレビ信号を復調および増幅し、受信したテレビ信号に応じた画像信号および音声信号とを制御部５に出力する。スピーカ９は、制御部５が出力する音声信号に応じた音を出力する。ＬＣＤ１０は、制御部５が出力する画像信号に応じた画像を表示する。ＬＣＤバックライト１１は、ＬＣＤ１０の背後からＬＣＤ１０を照光し、制御部５によってオンおよびオフが制御される。マイク１２は、ユーザの音声を受け付け、受け付けた音声に応じた信号を制御部５に出力する。
【００３５】
電池１３は、携帯電話機の電源であり、制御部５は内蔵するＡ／Ｄコンバータ５２を用いて電池１３の電圧を検出し、電池１３の残量をＬＣＤ１０に表示させる。
【００３６】
図２は、ＬＣＤ１０に表示される電池１３の残量表示の一例を示した説明図である。
【００３７】
図２において、アイコン１３ａは、電池１３の残量を表示する。
【００３８】
電池１３の残量は、制御部５が検出した電池１３の電圧と、メモリ部６に予め記憶されているしきい値とを比較することによって検出される。
【００３９】
図２に示した例で説明すると、アイコン１３ａによる電池残量表示は３段階に分かれており、本実施例では、メモリ部６にはアイコン１３ａによる電池残量表示に応じた３つのしきい値（以下「電池残量表示用しきい値」と称する。）が予め記憶されている。なお、当然のことながら、３つの電池残量表示用しきい値の値は、互いに異なる値である。
【００４０】
したがって、本実施例において、メモリ部６に予め記憶されているしきい値は、３つの電池残量表示用しきい値と、１つの動作制御用しきい値とがある。
【００４１】
電池１３の電圧が低下していき、メモリ部６に記憶されている３つの電池残量表示用しきい値を順番に下回っていくと、制御部５はＬＣＤ１０の電池残量表示アイコン１３ａの表示数を３本→２本→１本→０本と順番に減らしていく。
【００４２】
また、電池残量表示アイコン１３ａの表示数が１本から０本へと遷移する際、換言すると、電池１３の電圧が３つの電池残量表示用しきい値の中で最も低い電池残量表示用しきい値よりも低くなった場合、制御部５は、電池１３の電圧が低下した旨をＬＣＤ１０に表示させてユーザに電池１３を充電しなければならない旨をアナウンスした後、携帯電話機の電源を自動的にオフする。
【００４３】
なお、本実施例では、動作制御用しきい値を、３つの電池残量表示用しきい値の中で最も低いしきい値よりも高く、かつ３つの電池残量表示用しきい値の中で中間のしきい値よりも低い値に設定してある。
【００４４】
したがって、制御部５は、電池残量表示アイコン１３ａの表示が０本になる状態まで電池１３の電圧が低下する以前に、テレビ受像部２０の動作を制限する。例えば、テレビ受像部２０が動作している間に電池１３の電圧が動作制御用しきい値を下回った場合、制御部５は、テレビ受像部２０の動作を停止するように制御する。よって、テレビ受像部２０が動作している状態で電池１３を使い切ることを防止できる。
【００４５】
図３は、携帯電話機の動作を説明するためのフローチャートである。
【００４６】
以下、図３を参照して携帯電話機の動作を説明する。なお、ＣＰＵ５１は、Ａ／Ｄコンバータ５２が電池１３の電圧を検出するたびに図３に示した動作を実行する。
【００４７】
所定時間間隔でＡ／Ｄコンバータ５２が電池１３の電圧を検出すると（ステップ３ａ）、ＣＰＵ５１は、Ａ／Ｄコンバータ５２が検出した電池１３の電圧と、メモリ部６に記憶されている３つの電池残量表示用しきい値および１つの動作制御用しきい値とを比較する。
【００４８】
具体的には、ＣＰＵ５１は、電池１３の電圧の値が、３つの電池残量表示用しきい値の中で最も値が大きいしきい値（以下「しきい値１」と称する。）以上である場合（ステップ３ｂ）、ＬＣＤ１０の電池残量表示アイコン１３ａの表示数を３本にし、テレビ受像部２０および携帯電話無線通信部２１との動作を許容する（ステップ３ｃ）。
【００４９】
ＣＰＵ５１は、電池１３の電圧の値が、３つの電池残量表示用しきい値の中で最も値が大きいしきい値（しきい値１）未満でかつ３つの電池残量表示用しきい値の中で中間のしきい値（以下「しきい値２」と称する。）以上である場合（ステップ３ｄ）、ＬＣＤ１０の電池残量表示アイコン１３ａの表示数を２本にし、テレビ受像部２０および携帯電話無線通信部２１との動作を許容する（ステップ３ｅ）。
【００５０】
ＣＰＵ５１は、電池１３の電圧の値が、３つの電池残量表示用しきい値の中で中間のしきい値（しきい値２）未満で、かつ動作制御用しきい値以上の場合（ステップ３ｆ）、ＬＣＤ１０の電池残量表示アイコン１３ａの表示数を１本にし、テレビ受像部２０および携帯電話無線通信部２１との動作を許容する（ステップ３ｇ）。
【００５１】
ＣＰＵ５１は、電池１３の電圧の値が、動作制御用しきい値未満で、かつ３つの電池残量表示用しきい値の中で最低のしきい値（以下「しきい値３」と称する。）以上の場合（ステップ３ｈ）、ＬＣＤ１０の電池残量表示アイコン１３ａの表示数を１本にし、テレビ受像部２０への電源電圧の供給を禁止、すなわち制限し、携帯電話無線通信部２１の動作を許容する（ステップ３ｉ）。
【００５２】
ＣＰＵ５１は、電池１３の電圧の値が、３つの電池残量表示用しきい値の中で最低のしきい値（しきい値３）未満の場合（ステップ３ｈ）、ＬＣＤ１０の電池残量表示アイコン１３ａの表示数を０本にし、電池１３の電圧が低下した旨をＬＣＤ１０に表示させてユーザに電池１３を充電しなければならない旨をアナウンスした後、携帯電話機の電源を自動的にオフする（ステップ３ｊ）。
【００５３】
本実施例では、ＣＰＵ５１が、携帯電話機の電池１３の電圧が予め設定された所定値（動作制御用しきい値）を下回った際にテレビ受像部２０の動作を制限し、かつ携帯電話無線通信部２１の動作を許容するので、テレビ受像部２０の動作によって携帯電話機の電池１３の容量の全てが消費された状態となることを防止することが可能となり、電池の残量が少なくなった際に、携帯電話機としての基本機能となる携帯電話無線通信部２１の動作時間を長くすることが可能となる。
【００５４】
また、動作制御用しきい値として、携帯電話無線通信部が所定時間以上動作するのに必要となる電池１３の電圧値を用いているので、電池１３の残量が少なくなっても、携帯電話機としての基本機能となる携帯電話無線通信部の動作時間を所定時間以上にすることができる。
【００５５】
なお、上記の実施例では、携帯電話機の電池１３の電圧が動作制御用しきい値を下回った際に、テレビ受像部２０の全ての動作を停止するようにしたが、例えば、携帯電話機の電池１３の電圧が動作制御用しきい値を下回った際に、テレビ受像部２０の動作の一部（例えば、画像表示動作）のみを禁止して消費電流を低減し、テレビ受像部２０が動作可能な時間を延長することも可能である。
【００５６】
テレビ受像部２０においては、制御部５から供給される画像信号に応じた画像がＬＣＤ１０に表示されると同時にＬＣＤバックライト１１が点灯され、制御部５から供給される音声信号に応じた音がスピーカ９から出力される。
【００５７】
そこで、例えば、ＣＰＵ５１が、携帯電話機の電池１３の電圧が動作制御用しきい値を下回った際に、ＬＣＤ１０およびＬＣＤバックライト１１とをオフしてテレビ受像部２０の画像表示機能を停止し、音声のみがスピーカ９から出力されることを許容するように制御すれば、テレビ受像部２０の動作中の消費電流を削減することができる。
【００５８】
この場合、もう一つ新たに動作制御用しきい値（以下「追加動作制御用しきい値」と称し、既存の動作制御用しきい値よりも小さい値）をメモリ部６に追加記憶し、ＣＰＵ５１が、電池１３の電圧が既存の動作制御用しきい値よりも低下し、かつ電池１３の電圧が追加動作制御用しきい値以上である場合に、ＬＣＤ１０とＬＣＤバックライト１１とを含む表示部の動作を制限（例えば、ＬＣＤ１０とＬＣＤバックライト１１とへの電源の供給を停止）するとともにテレビチューナ部８およびスピーカ１０との動作を許容し、さらに、電池１３の電圧が低下して電池１３の電圧が追加動作制御用しきい値未満になった際に、テレビ受像部２０の全ての動作を制限（例えば、テレビ受像部２０への電源の供給を停止）するように制御してもよい。
【００５９】
なお、ＬＣＤ１０およびＬＣＤバックライト１１とによる画像表示を制限し、かつスピーカ９からテレビ放送の音声を出力することを許容する動作は、ＣＰＵ５１が電池１３の電圧に基づいて自動的に制御するだけでなく、ユーザがキー操作部７を操作することによっても実行できるようにしてもよい。
【００６０】
また、テレビ受像部２０の動作は、新幹線乗車時等の高速移動中、フェージングなどの影響により大幅に特性が劣化する可能性がある。特に、高速移動中では、音声の劣化に比べ、画像の劣化が著しい。
【００６１】
移動速度が速くなって画像が劣化する場合、画像表示に消費される電流は無駄になってしまうため、移動速度を検出し、検出した移動速度が所定の速度以上と判定した場合に、ＣＰＵ５１が、テレビ受像部２０による画像表示（具体的には、ＬＣＤ１０とＬＣＤバックライト１１とによる画像表示）を停止し、テレビ受像部２０（具体的には、スピーカ９）から音声のみを出力するように制御してもよい。
【００６２】
図４は、携帯電話機の移動速度が所定の速度以上の場合に、ＣＰＵ５１が、テレビ受像部２０による画像表示を制限し、テレビ受像部２０から音声のみを出力する動作を説明するためのフローチャートである。
【００６３】
以下、図４を参照して動作を説明する。
【００６４】
携帯電話機では無線部２からＲＳＳＩ信号を得られるので、ＣＰＵ５１が、ＲＳＳＩ信号の変化を既知の計算式にあてはめてフェージングピッチを算出し、算出したフェージングピッチに基づいて携帯電話機が移動する速度を検出する（ステップ４ａ）。なお、ＲＳＳＩ信号を用いて携帯電話機の移動速度を検出する方法は公知であるので、その詳細な説明は省略する。
【００６５】
検出した携帯電話機の移動速度が、予めメモリ部６に記憶された所定の速度以上の場合（ステップ４ｂ）、ＣＰＵ５１は、ＬＣＤ１０およびＬＣＤバックライト１１とオフして画像表示を制限（例えば、ＬＣＤ１０およびＬＣＤバックライト１１への電源電圧の供給を停止）し、音声のみをスピーカ９から出力するように制御する（ステップ４ｃ）。なお、ステップ４ｃにおいて、ＣＰＵ５１は、携帯電話無線通信部２１の動作を許容する。
【００６６】
検出した携帯電話機の移動速度が、予めメモリ部６に記憶された所定の速度未満の場合（ステップ４ｂ）、ＣＰＵ５１は、画像表示および音声出力を許容する（ステップ４ｄ）。なお、ステップ４ｄにおいて、ＣＰＵ５１は、携帯電話無線通信部２１の動作を許容する。
【００６７】
なお、ＣＰＵ５１は、検出した携帯電話機の移動速度が、予めメモリ部６に記憶された所定の速度以上の場合に、テレビ受像部２０の動作を制限（例えば、テレビ受像部２０への電源電圧の供給を停止）し、携帯電話無線通信を許容するようにしてもよい。
【００６８】
本実施例によれば、テレビ受像部２０の動作を自動的に制限することにより、テレビ受像部２０の動作によって携帯電話機の電池の容量の全てが消費された状態となることを防止することが可能となり、携帯電話無線通信部２１の動作時間を長くすることが可能となる。
【００６９】
また、テレビ受像部２０の動作の一部を自動的に制限することにより、テレビ受像部２０を動作させるのに使用される消費電流を低減することが可能となり、テレビ受像部２０の動作時間を長くすることが可能となる。
【００７０】
以上説明した実施例において、図示した構成は単なる一例であって、本発明はその構成に限定されるものではない。
【００７１】
例えば、テレビ受像部２０の表示部は、ＬＣＤに限るものではなく、適宜変更可能である。
【００７２】
また、電池残量表示用しきい値の数は３つに限らず適宜変更可能である。また、動作制御用しきい値の数も適宜変更可能である。
【００７３】
また、携帯電話機の移動速度の検出は、無線部２から出力されるＲＳＳＩ信号を用いて検出する場合に限らず適宜変更可能である。
【図面の簡単な説明】
【００７４】
【図１】本発明の一実施例を示したブロック図である。
【図２】電池残量表示の一例を示した説明図である。
【図３】本発明の携帯電話機の動作の一例を説明するためのフローチャートである。
【図４】本発明の携帯電話機の動作の他の例を説明するためのフローチャートである。
【符号の説明】
【００７５】
１      アンテナ
２      無線部
３      復調部
４      変調部
５      制御部
５１    ＣＰＵ
５２    Ａ／Ｄコンバータ
６      メモリ部
７      キー制御部
８      テレビチューナ部
９      スピーカ
１０      ＬＣＤ
１１      ＬＣＤバックライト
１２      マイク
１３      電池
１３ａ    アイコン
２０      テレビ受像部
２１      携帯電話無線通信部
【図１】
2005117304.tif 000003
【図２】
2005117304.tif 000004
【図３】
2005117304.tif 000005
【図４】
2005117304.tif 000006
【手続補正書】
【提出日】平成16年8月24日(2004.8.24)
【手続補正１】
【補正対象書類名】特許請求の範囲
【補正対象項目名】全文
【補正方法】変更
【補正の内容】
【特許請求の範囲】
【請求項１】
テレビ受像部および携帯電話無線通信部とを含む携帯電話機であって、
前記携帯電話機の現況を検出する現況検出部と、
前記現況検出部により検出された現況に応じて、前記テレビ受像部の動作を制限し、かつ前記携帯電話の無線通信部の動作を許容する動作制御部とを含むことを特徴とする携帯電話機。
【請求項２】
請求項１に記載の携帯電話機において、
前記現況検出部は、前記携帯電話機の電源電圧の現況を検出し、
前記動作制御部は、前記現況検出部が前記携帯電話機の電源電圧が予め設定された所定値未満である状況を検出した際に、前記テレビ受像部の動作を制限し、かつ前記携帯電話の無線通信部の動作を許容することを特徴とする携帯電話機。
【請求項３】
請求項１に記載の携帯電話機において、
前記現況検出部は、前記携帯電話機の電源電圧の現況を検出し、
前記動作制御部は、前記現況検出部が前記携帯電話機の電源電圧が予め設定された所定値未満である状況を検出した際に、前記テレビ受像部の動作の一部を制限し、かつ前記携帯電話の無線通信部の動作を許容することを特徴とする携帯電話機。
【請求項４】
請求項３に記載の携帯電話機において、
前記テレビ受像部は、テレビチューナ部を含み、
前記テレビ受像部の動作の一部は、前記テレビチューナ部の動作である、携帯電話機。
【請求項５】
請求項２ないし４のいずれか１項に記載の携帯電話機において、
前記予め設定された所定値は、前記携帯電話無線通信部が所定時間以上動作するのに必要となる電源の電圧値であることを特徴とする携帯電話機。
【請求項６】
請求項２ないし５のいずれか１項に記載の携帯電話機において、
表示部をさらに含み、
前記動作制御部は、前記電源電圧が低下した旨を前記表示部に表示させる、携帯電話機。
【請求項７】
請求項１に記載の携帯電話機において、
前記現況検出部は、前記携帯電話機の移動速度の現況を検出し、
前記動作制御部は、前記現況検出部が前記携帯電話機の移動速度が予め設定された所定値以上である状況を検出した際に、前記テレビ受像部の動作を制限し、かつ前記携帯電話の無線通信部の動作を許容することを特徴とする携帯電話機。
【請求項８】
請求項１に記載の携帯電話機において、
前記現況検出部は、前記携帯電話機の移動速度の現況を検出し、
前記動作制御部は、前記現況検出部が前記携帯電話機の移動速度が予め設定された所定値以上である状況を検出した際に、前記テレビ受像部の動作の一部を制限し、かつ前記携帯電話の無線通信部の動作を許容することを特徴とする携帯電話機。
【請求項９】
請求項８に記載の携帯電話機において、
前記テレビ受像部は、テレビチューナ部を含み、
前記テレビ受像部の動作の一部は、前記テレビチューナ部の動作である、携帯電話機。
【請求項１０】
請求項１ないし９のいずれか１項に記載の携帯電話機において、
前記テレビ受像部は、テレビ画像を表示する表示部およびテレビ音声を出力する音声出力部とを含み、
前記動作制御部は、前記現況検出部により検出された現況に応じて、前記表示部の動作を制限し、かつ前記音声出力部の動作を許容することを特徴とする携帯電話機。
【請求項１１】
請求項１０に記載の携帯電話機において、
前記動作制御部は、前記現況検出部により検出された現況に応じて、前記表示部の動作を制限しかつ前記音声出力部および前記携帯電話無線通信部との動作を許容する動作と、前記表示部および前記音声出力部との動作を制限しかつ前記携帯電話無線通信部の動作を許容する動作とのいずれかを実行することを特徴とする携帯電話機。
【請求項１２】
テレビ受像部および携帯電話無線通信部とを含む携帯電話機が行う動作制御方法であって、
前記携帯電話機の現況を検出する現況検出ステップと、
前記現況検出ステップで検出された現況に応じて、前記テレビ受像部の動作を制限し、かつ前記携帯電話無線通信部の動作を許容する動作制御ステップとを含むことを特徴とする動作制御方法。
【請求項１３】
請求項１２に記載の動作制御方法において、
前記現況検出ステップは、前記携帯電話機の電源電圧の現況を検出し、
前記動作制御ステップは、前記現況検出ステップで前記携帯電話機の電源電圧が予め設定された所定値未満である状況を検出した際に、前記テレビ受像部の動作を制限し、かつ前記携帯電話の無線通信部の動作を許容することを特徴とする動作制御方法。
【請求項１４】
請求項１２に記載の動作制御方法において、
前記現況検出ステップは、前記携帯電話機の電源電圧の現況を検出し、
前記動作制御ステップは、前記現況検出ステップで前記携帯電話機の電源電圧が予め設定された所定値未満である状況を検出した際に、前記テレビ受像部の動作の一部を制限し、かつ前記携帯電話の無線通信部の動作を許容することを特徴とする動作制御方法。
【請求項１５】
請求項１４に記載の動作制御方法において、
前記テレビ受像部は、テレビチューナ部を含み、
前記テレビ受像部の動作の一部は、前記テレビチューナ部の動作である、動作制御方法。
【請求項１６】
請求項１３ないし１５のいずれか１項に記載の動作制御方法において、
前記予め設定された所定値は、前記携帯電話無線通信部が所定時間以上動作するのに必要となる電源の電圧値であることを特徴とする動作制御方法。
【請求項１７】
請求項１３ないし１６のいずれか１項に記載の動作制御方法において、
前記テレビ受像部は、表示部をさらに含み、
前記電源電圧が低下した旨を前記表示部に表示させる表示ステップをさらに含むことを特徴とする動作制御方法。
【請求項１８】
請求項１２に記載の動作制御方法において、
前記現況検出ステップは、前記携帯電話機の移動速度の現況を検出し、
前記動作制御ステップは、前記現況検出ステップで前記携帯電話機の移動速度が予め設定された所定値以上である状況を検出した際に、前記テレビ受像部の動作を制限し、かつ前記携帯電話の無線通信部の動作を許容することを特徴とする動作制御方法。
【請求項１９】
請求項１２に記載の動作制御方法において、
前記現況検出ステップは、前記携帯電話機の移動速度の現況を検出し、
前記動作制御ステップは、前記現況検出ステップで前記携帯電話機の移動速度が予め設定された所定値以上である状況を検出した際に、前記テレビ受像部の動作の一部を制限し、かつ前記携帯電話の無線通信部の動作を許容することを特徴とする動作制御方法。
【請求項２０】
請求項１９に記載の動作制御方法において、
前記テレビ受像部は、テレビチューナ部を含み、
前記テレビ受像部の動作の一部は、前記テレビチューナ部の動作である、動作制御方法。
【請求項２１】
請求項１２ないし２０のいずれか１項に記載の動作制御方法において、
前記テレビ受像部は、テレビ画像を表示する表示部およびテレビ音声を出力する音声出力部とを含み、
前記動作制御ステップは、前記現況検出ステップで検出された現況に応じて、前記表示部の動作を制限し、かつ前記音声出力部の動作を許容することを特徴とする動作制御方法。
【請求項２２】
請求項２１に記載の動作制御方法において、
前記動作制御ステップは、前記現況検出ステップにより検出された現況に応じて、前記表示部の動作を制限しかつ前記音声出力部および前記携帯電話無線通信部との動作を許容する動作と、前記表示部および前記音声出力部との動作を制限しかつ前記携帯電話無線通信部の動作を許容する動作とのいずれかを実行することを特徴とする動作制御方法。
【手続補正２】
【補正対象書類名】明細書
【補正対象項目名】００１１
【補正方法】変更
【補正の内容】
【００１１】
また、前記動作制御部または前記動作制御ステップが、前記現況検出部または前記現況検出ステップで前記携帯電話機の電源電圧が予め設定された所定値未満である状況を検出した際に、前記テレビ受像部の動作または前記テレビ受像部の動作の一部を制限し、かつ前記携帯電話の無線通信部の動作を許容することが望ましい。この場合、動作制御部または動作制御ステップが、携帯電話機の電池残量が予め設定された所定値を下回った際にテレビ受像部の動作または前記テレビ受像部の動作の一部を制限し、かつ携帯電話無線通信部の動作を許容するので、電池残量が少なくなった際にテレビ受像部の動作によって消費される電力を抑制することが可能となり、電池の残量が少なくなっても、携帯電話機としての基本機能となる携帯電話無線通信部の動作時間を長くすることが可能となる。
【手続補正３】
【補正対象書類名】明細書
【補正対象項目名】００１３
【補正方法】変更
【補正の内容】
【００１３】
また、前記現況検出部または前記現況検出ステップは、前記携帯電話機の移動速度の現況を検出し、前記動作制御部または前記動作制御ステップは、前記現況検出部または前記現況検出ステップで前記携帯電話機の移動速度が予め設定された所定値以上である状況を検出した際に、前記テレビ受像部の動作または前記テレビ受像部の動作の一部を制限し、かつ前記携帯電話の無線通信部の動作を許容することが望ましい。この場合、携帯電話機の移動速度が速くなってフェージングによりテレビ受像部の動作特性が劣化した際に、劣化したテレビ画像を表示するという無駄な動作を低減でき、この無駄な動作を実行するのに要する電力の消費を低減することが可能となる。
【手続補正４】
【補正対象書類名】明細書
【補正対象項目名】００１５
【補正方法】変更
【補正の内容】
【００１５】
また、前記動作制御部または前記動作制御ステップは、前記現況検出部または前記現況検出ステップにより検出された現況に応じて、前記表示部の動作を制限しかつ前記音声出力部および前記携帯電話無線通信部との動作を許容する動作と、前記表示部および前記音声出力部との動作を制限しかつ前記携帯電話無線通信部の動作を許容する動作とのいずれかを実行することが望ましい。この場合、テレビ受像部の動作を段階的に制限することができる。また、上記携帯電話機は、表示部をさらに含み、前記動作制御部は、前記電源電圧が低下した旨を前記表示部に表示させることが望ましい。